(57)【要約】【課題】トンネルの壁面に打設される覆工コンクリートの養生シートを、効率良く設置する設置装置及び設置方法を提供する。【解決手段】養生シート設置装置１は、トンネル１００の壁面１０１に打設される覆工コンクリートＣの養生シート１０を設置する装置であって、養生シート１０がロール状に巻かれてなる養生シートロール１１をトンネル１００の周方向に移動させ養生シートロール１１を解きながらセントル９１の外側面９２上に養生シート１０を装着する養生シート装着部３と、周方向に湾曲して延在しセントル９１及び養生シート１０の外側に打設された覆工コンクリートＣに向けて養生シート１０を押さえ込むための固定バンド６を予め保持する固定部材保持部５と、を備える。【選択図】図１
2014214553.tif 000002
【特許請求の範囲】
【請求項１】
トンネルの壁面に打設される覆工コンクリートの養生シートを設置する養生シート設置装置であって、
前記養生シートがロール状に巻かれてなる養生シートロールを前記トンネルの周方向に移動させ前記養生シートロールを解きながらセントルの外側面上に前記養生シートを装着する養生シート装着部と、
前記周方向に湾曲して延在し前記セントル及び前記養生シートの外側に打設された前記覆工コンクリートに向けて前記養生シートを押さえ込むための固定部材を予め保持する固定部材保持部と、を備えたことを特徴とする養生シート設置装置。
【請求項２】
前記養生シート装着部は、
前記養生シートロールの端部を保持するロール保持部と、前記ロール保持部から前記養生シートロールの移動方向の前方に延びるアームと、
前記アームの先端部を前記セントルの前記外側面に沿って前記周方向に案内するガイドレールと、を有することを特徴とする請求項１に記載の養生シート設置装置。
【請求項３】
前記アームの先端部には、
前記ガイドレールの一部を挟み込む一対のローラを備えることを特徴とする請求項２に記載の養生シート設置装置。
【請求項４】
前記養生シート装着部は、
前記養生シートロールの移動方向の後方において、前記養生シートを前記セントルの前記外側面に押し当てるシート押さえ部を有することを特徴とする請求項１〜３の何れか１項に記載の養生シート設置装置。
【請求項５】
前記養生シートの前記覆工コンクリート側の接触面の水との接触角が５０度以上であることを特徴とする請求項１〜４の何れか１項に記載の養生シート設置装置。
【請求項６】
請求項１〜５の何れか１項に記載の養生シート設置装置を用いて前記トンネルの前記壁面に打設される前記覆工コンクリートの前記養生シートを設置する養生シート設置方法であって、
前記養生シート装着部が、前記養生シートロールを前記トンネルの周方向に移動させ前記養生シートロールを解きながらセントルの外側面上に前記養生シートを装着する養生シート装着工程と、
前記養生シート装着工程で装着された前記セントル上の前記養生シートの外側に前記覆工コンクリートを打設する覆工コンクリート打設工程と、
打設された前記覆工コンクリートに前記養生シートを残置させて前記セントルを脱型する脱型工程と、
前記固定部材保持部に保持された前記固定部材を前記養生シートの内側に設置し、前記覆工コンクリートに向けて前記養生シートを押さえ込む固定部材設置工程と、を備えたことを特徴とする養生シート設置方法。
【発明の詳細な説明】
【技術分野】
【０００１】
本発明は、トンネルの壁面に打設される覆工コンクリートの養生シートを設置する養生シート設置装置及び養生シート設置方法に関するものである。
【背景技術】
【０００２】
従来、このような分野の技術として、下記特許文献１に記載の養生方法が知られている。この養生方法では、養生シートをロール状に巻き、当該養生シートをトンネル移動式型枠または高所作業車を作業足場にして覆工コンクリートの表面をトンネル周方向の一端側から他端側方向に転がして貼り付け、覆工コンクリートの養生が完了したらロール状に巻き取って回収する。
【先行技術文献】
【特許文献】
【０００３】
【特許文献１】特許第４７９７９７５号公報
【発明の概要】
【発明が解決しようとする課題】
【０００４】
しかしながら、この種の養生シートを設置する際には、更なる効率のよい手法が求められていた。本発明は、トンネルの壁面に打設される覆工コンクリートの養生シートを、効率良く設置する設置装置及び設置方法を提供することを目的とする。
【課題を解決するための手段】
【０００５】
本発明の養生シート設置装置は、トンネルの壁面に打設される覆工コンクリートの養生シートを設置する養生シート設置装置であって、養生シートがロール状に巻かれてなる養生シートロールをトンネルの周方向に移動させ養生シートロールを解きながらセントルの外側（地山側）面上に養生シートを装着する養生シート装着部と、周方向に湾曲して延在しセントル及び養生シートの外側（地山側）に打設された覆工コンクリートに向けて養生シートを押さえ込むための固定部材を予め保持する固定部材保持部と、を備えたことを特徴とする。
【０００６】
この養生シート設置装置によれば、養生シート装着部によってセントルの外側（地山側）面上に養生シート装着することにより、覆工コンクリートの打設後には、覆工コンクリートの内側（坑側）面上に養生シートが設置されることになる。更に、トンネルの周方向に湾曲した固定部材が、固定部材保持部に保持されているので、覆工コンクリートの打設後に、固定部材保持部を養生シートの内側（坑側）に移動させ、固定部材を養生シートの内側（坑側）から設置することができる。よって、覆工コンクリートの養生シートを効率よく設置することができる。
【０００７】
また、養生シート装着部は、養生シート装着部は、養生シートロールの端部を保持するロール保持部と、ロール保持部から養生シートロールの移動方向の前方に延びるアームと、アームの先端部をセントルの外側（地山側）面に沿って周方向に案内するガイドレールと、を有することとしてもよい。この構成によれば、養生シートロールの巻径の変化をアームの傾きによって吸収することができる。
【０００８】
また、アームの先端部には、ガイドレールの一部を挟み込む一対のローラを備えることとしてもよい。この構成によれば、ローラの挟み力によって、養生シートロールの移動速度を調整することができる。例えば、養生シートロールが重力に従う方向に移動する場合にも、養生シートロールの移動速度を抑えることができる。
【０００９】
また、養生シート装着部は、養生シートロールの移動方向の後方において、養生シートをセントルの外側（地山側）面に押し当てるシート押さえ部を有することとしてもよい。この構成によれば、養生シートをセントルの外側（地山側）面上に沿って凹凸が少ない状態で装着することができる。
【００１０】
また、養生シートの覆工コンクリート側の接触面の水との接触角が５０度以上であることとしてもよい。
【００１１】
本発明の養生シート設置方法は、上述の何れかの養生シート設置装置を用いてトンネルの壁面に打設される覆工コンクリートの養生シートを設置する養生シート設置方法であって、養生シート装着部が、養生シートロールをトンネルの周方向に移動させ養生シートロールを解きながらセントルの外側（地山側）面上に養生シートを装着する養生シート装着工程と、養生シート装着工程で装着されたセントル上の養生シートの外側（地山側）に覆工コンクリートを打設する覆工コンクリート打設工程と、打設された覆工コンクリートに養生シートを残置させてセントルを脱型する脱型工程と、固定部材保持部に保持された固定部材を養生シートの内側（坑側）に設置し、覆工コンクリートに向けて養生シートを押さえ込む固定部材設置工程と、を備えたことを特徴とする。
【００１２】
この養生シート設置方法によれば、養生シート装着部によってセントルの外側（地山側）面上に養生シート装着することにより、覆工コンクリートの打設後には、覆工コンクリートの内側（坑側）面上に養生シートが設置されることになる。更に、トンネルの周方向に湾曲した固定部材が、固定部材保持部に保持されているので、覆工コンクリートの打設後に、固定部材保持部を養生シートの内側（坑側）に移動させ、固定部材を養生シートの内側（坑側）から設置することができる。よって、覆工コンクリートの養生シートを効率よく設置することができる。
【発明の効果】
【００１３】
本発明の設置装置及び設置方法によれば、トンネルの壁面に打設される覆工コンクリートの養生シートを、効率良く設置することができる。
【図面の簡単な説明】
【００１４】
【図１】本発明に係る養生シート設置装置の実施形態を示す斜視図である。
【図２】図１の装置の養生シートロールの近傍をトンネルの軸方向から見た状態を示す図である。
【図３】図１の装置の養生シートロールの巻芯とコーンキャップとを示す図である。
【図４】図２の矢印ｈ方向からガイドレール近傍を見た状態を示す断面図である
【図５】（ｂ）は、ガイドレールに嵌め込まれたワイヤーガイドを示す図であり、（ａ）は、そのVa-Va断面図である。
【図６】（ａ）〜（ｃ）は、本発明に係る養生シート設置方法を順に示すトンネルの断面図であり、（ｄ）は（ｃ）におけるd-d断面図である。
【図７】養生シートの表面の水への接触角を示す模式図である。
【発明を実施するための形態】
【００１５】
以下、図面を参照しつつ本発明に係る養生シート設置装置及び養生シート設置方法の実施形態について詳細に説明する。
【００１６】
図１に示されるように、トンネル１００の壁面１０１に覆工コンクリートＣ（図６参照）を打設する際には、型枠として、セントル９１が用いられる。セントル９１は、壁面１０１に沿って湾曲した外側面９２（地山側面）を備えており、セントル９１はガントリー９３に支持されている。トンネル１００内にはレール１０３が敷設されており、セントル９１及びガントリー９３は、レール１０３上をトンネル１００の軸方向（長手方向）に移動することができる。セントル９１及びガントリー９３は、公知のものを採用すればよいので、セントル９１及びガントリー９３についての更に詳細な説明は省略する。トンネル１００の軸方向におけるセントル９１の長さは、例えば１０．５ｍである。
【００１７】
養生シート設置装置１は、壁面１０１の覆工コンクリートの養生シートを設置する装置である。トンネル１００内には、レール１０３の更に外側に、レール１０５が敷設されている。養生シート設置装置１は、レール１０５上をトンネル１００の軸方向に移動することができる。養生シート設置装置１は、養生シート装着部３と、養生シート装着部３の後方に設置された固定部材保持部５と、を備えている。養生シート装着部３と固定部材保持部５とは、トンネル１００の軸方向に沿って独立して移動することが可能となっている。トンネル１００の軸方向における養生シート装着部３の長さは、例えば５ｍ程度であり、トンネル１００の軸方向における固定部材保持部５の長さは、例えば５ｍ程度である。
【００１８】
なお、以降の説明においても、トンネル１００の軸方向を「前後方向」として、「前方」、「後方」等の前後の概念を含む語を位置関係の説明に用いる場合がある。この場合、図１に示すトンネル１００の奥を「前」とし、手前を「後」とする。また、トンネル１００における地山側を「外側」、坑側を「内側」として、内外の概念を含む語を位置関係の説明に用いる場合がある。例えば、セントル９１の地山側の面を「外側面９２」と称し、覆工コンクリートＣの坑側の面を「内側面」と称する場合がある。また、以下の説明において、単に「軸方向」、「周方向」と言うときには、トンネル１００の軸方向（長手方向）、周方向を意味するものとする。
【００１９】
養生シート装着部３は、セントル９１の湾曲した外側面９２に対して養生シート１０を装着する機能を有する。ここで外側面９２に装着された養生シート１０は、最終的には、覆工コンクリートＣの打設及び脱型後に、覆工コンクリートＣの内側面に残置され、覆工コンクリートＣの湿潤養生に寄与する。固定部材保持部５は、周方向に湾曲して延びる固定バンド（固定部材）６を保持する機能を有している。固定部材保持部５に保持された固定バンド６は、最終的には、覆工コンクリートＣの打設及び脱型後に、上記養生シート１０の内側に設置され残置される。そして、固定バンド６が、養生シート１０を外側に向けて押さえ込むことで、養生シート１０が覆工コンクリートＣから剥離しにくくなる。
【００２０】
養生シート装着部３の構成について、図１〜図５を参照しながら説明する。ここでは、図１の状態から養生シート装着部３が前方に移動しセントル９１上に配置された状態について説明する。養生シート装着部３は、このように、セントル９１上に配置された状態で動作する。
【００２１】
養生シート装着部３には養生シートロール１１が取り付けられる。養生シートロール１１は、巻芯１１ａの周りに養生シート１０がロール状に巻かれたものであり、巻芯１１ａを前後方向に向けた姿勢で養生シート装着部３に取り付けられる。養生シートロール１１の前後方向の長さは、例えば４ｍ程度である。養生シート装着部３は、周方向に湾曲して延びる２本のガイドレール７を有している。２本のガイドレール７は、例えば前後に５ｍの間隔をあけて平行に設置されている。ガイドレール７は、セントル９１の外側面９２の僅かに外側に配置され、養生シートロール１１の周方向への移動を案内する。
【００２２】
養生シート装着部３は、養生シートロール１１の巻芯１１ａの両端にねじ込まれるコーンキャップ（ロール保持部）１３を有している。更に養生シート装着部３は、コーンキャップ１３から養生シートロール１１の移動方向前方に延びるアーム１５を有している。コーンキャップ１３は、アーム１５の一端に回転可能に軸支されている。アーム１５の他端には、ガイドレール７に係合すると共に、ガイドレール７上を移動するローラユニット１７が設けられている。養生シートロール１１は、移動方向前方に延びるアーム１５を介してガイドレール７に接続されているので、養生シートロール１１の巻径の変化をアーム１５の傾きによって吸収することができる。
【００２３】
ガイドレール７は、養生シートロール１１側に開口するチャンネル材である。ローラユニット１７は、ガイドレール７の上片部を上下方向に挟み込む一対のローラ１９，２１と、アーム１５の他端に回転可能に軸支されると共にローラ１９，２１が取り付けられたプレート２３と、を有している。プレート２３にはワイヤー２７の一端が取り付けられている。ワイヤー２７の他端は、ガイドレール７の一方の下端部に設置されたウインチ（図示せず）に接続されている。ウインチがワイヤー２７を巻き取ることにより、ローラユニット１７が引っ張られ、ローラユニット１７は、ガイドレール７に案内されながら周方向に移動する。そして、養生シートロール１１は、アーム１５を介してローラユニット１７に引っ張られながら、セントル９１の外側面９２上を転がるように周方向に移動する。
【００２４】
ここで、養生シートロール１１を外側面９２上で解きながら、外側面９２上を転がすことにより、養生シート１０を外側面９２上に装着することができる。なお、養生シート１０は、両面テープ等を用いて外側面９２上に貼着されてもよい。また、セントル９１の長さ（例えば１０．５ｍ）に対して養生シート１０の幅(例えば４ｍ）が小さい場合には、養生シート設置装置１をセントル９１に対して前後方向（軸方向）に移動させて、上記の動作を繰り返せば、外側面９２全体に養生シート１０を装着することができる。
【００２５】
また、養生シート装着部３は、コーンキャップ１３から養生シートロール１１の移動方向後方に延びるアーム３３と、アーム３３の後端に回動可能に取り付けられたシート押さえ板（シート押さえ部）３５を有している。アーム３３及びシート押さえ板３５がバネ等により付勢されることで、シート押さえ板３５は外側面９２に向けて付勢されている。この構成により、シート押さえ板３５は、養生シートロール１１の移動方向の後方において、養生シートロール１１から解かれた養生シート１０を外側面９２に押し当てることができ、その結果、養生シート１０がセントル９１の外側面９２上に凹凸が少ない状態で装着される。
【００２６】
なお、ガイドレール７には、図５に示されるような可動ワイヤーガイド２９が多数設置されている。可動ワイヤーガイド２９は、ガイドレール７のチャネル溝に嵌め込まれ、チャネル溝内を摺動可能である。ワイヤー２７は、各可動ワイヤーガイド２９に形成されたガイド孔２９ａに順に挿通されることで、湾曲形状のガイドレール７に沿って延在する。また、隣接する可動ワイヤーガイド２９同士は、スプリング３１を介して連結されることで、可動ワイヤーガイド２９同士が常に一定の間隔でガイドレール７上に配置される。ワイヤー２７の巻き取りによってローラユニット１７が移動した場合にも、各々のスプリング３１が伸縮することで、可動ワイヤーガイド２９同士が等間隔に保たれる。このような構成により、ワイヤー２７は、常にガイドレール７の湾曲形状に沿って張られることになり、ワイヤー２７がローラユニット１７を常に周方向に引っ張るようにすることができる。
【００２７】
また、養生シートロール１１がセントル９１の最も高い位置を通過した後は、養生シートロール１１が重力によって急速に移動することが懸念される。この対策として、ローラ１９，２１がガイドレール７の上片部を挟み込む付勢力を適宜調整することで、重力による養生シートロール１１の急速な移動を抑制することができる。
【００２８】
続いて、固定部材保持部５について説明する。図１に示されるように、固定部材保持部５は、養生シート装着部３の後方に連結された半円柱状の籠状の部分である。固定部材保持部５は、軸方向に延在すると共に周方向に複数配列されたガイド材４１と、ガイド材４１を支持するために周方向にアーチ状に延びるアーチ材４３と、アーチ材４３の両下端同士を接続する横材４５と、で構成されている。ガイド材４１とアーチ材４３と横材４５とは、すべて棒材であり、互いの交差点において溶接などで互いに接続されている。
【００２９】
固定部材保持部５の上には、周方向に湾曲して延びる固定バンド６が設置される。固定バンド６は、例えば、幅約２０ｍｍ、厚さ約２ｍｍ、長さ約１０〜３０ｍといった長帯状をなし、外力を付与しない状態では直状に延びている。固定バンド６は、例えば、硬質のプラスチック等の材料からなり、弾性変形が可能である。なお、固定バンド６の長さは、トンネル１００のサイズに応じて変動する。このような固定バンド６を弾性的に変形させ、固定部材保持部５の上面に沿って湾曲させた状態で固定部材保持部５に保持させる。具体的には、各ガイド材４１の外側に設けられたフック（図示せず）に、固定バンド６を引掛けることにより、固定バンド６を湾曲形状に弾性変形させた状態で、予め固定部材保持部５上に保持させることができる。
【００３０】
続いて、図６を参照しながら、上記の養生シート設置装置１を用いた養生シート設置方法の一例について説明する。本実施形態の養生シート設置方法は、以下に説明する養生シート装着工程と、覆工コンクリート打設工程と、脱型工程と、固定部材設置工程と、を備えている。
【００３１】
（養生シート装着工程）
図６（ａ）に示されるように、トンネル１００内において覆工コンクリートＣを打設する位置（以下、「打設位置」）に、セントル９１を移動させる。そして、養生シート設置装置１を軸方向に移動させることで、２本のガイドレール７をセントル９１の外側面９２の直ぐ外側に配置する。このとき、養生シートロール１１は、ガイドレール７の周方向の一端側に配置され、外側面９２に接触している。この状態から、養生シート装着部３のウインチを駆動させることで、養生シートロール１１を、外側面９２に沿って周方向に駆動し、ガイドレール７の周方向の他端側まで移動させる。このとき、養生シートロール１１を外側面９２上で解きながら、外側面９２上を矢印Ａ方向に転がすことにより、養生シート１０を外側面９２上に装着する。
【００３２】
なお、養生シート１０の幅が、セントル９１の軸方向の長さよりも狭い場合においては、更に、養生シート設置装置１を軸方向に移動させて、養生シート装着部３の上述の動作を繰り返せば、外側面９２全体に養生シート１０を装着することができる。
【００３３】
（覆工コンクリート打設工程）
次に、図６（ｂ）に示されるように、上記の養生シート装着工程の後、養生シート装着部５を打設位置から前方に移動させ、打設位置において、ガントリー９３がセントル９１を上昇させる。そして、養生シート１０とトンネル１００の壁面１０１との間の間隙に、覆工コンクリートＣを打設する。このようなコンクリート打設は、トンネルに覆工コンクリートを施すための公知の工程と同じであるので、更なる詳細な説明は省略する。
【００３４】
（脱型工程）
上記の覆工コンクリートＣがある程度硬化した後、ガントリー９３がセントル９１を下降させる。このとき、覆工コンクリートＣの内側面上に養生シート１０を残置させるようにする。その後、セントル９１を打設位置から前方に退避させる。
【００３５】
（固定部材設置工程）
次に、固定部材保持部５を軸方向に移動させて打設位置に配置する。ここでは、打設位置の覆工コンクリートＣに残置された養生シート１０の内側に、固定部材保持部５が配置される。そして、固定部材保持部５を打設位置で軸方向に移動させながら、固定部材保持部５に保持された固定バンド６を、等間隔で固定部材保持部５から離脱させていく。なお、前述のとおり、固定バンド６は、ガイド材４１の外側のフックに係止されているので、固定バンド６を上記フックから外すことにより、容易に固定バンド６を固定部材保持部５から離脱させることができる。
【００３６】
次に、図６（ｃ）及び（ｄ）に示されるように、養生シート１０の内側において固定部材保持部５から離脱された固定バンド６は、直状に復帰しようとするため、自身の弾性力によって養生シート１０の内側面に張り付く。そして、固定バンド６は、自身の弾性力によって、養生シート１０を覆工コンクリートＣに向けて内側から押さえ込むので、養生シート１０が覆工コンクリートＣから剥離しにくくなる。なお、固定バンド６の両下端は、適宜、トンネル１００の壁面や底面等に固定されてもよい。
【００３７】
このように、養生シート１０を覆工コンクリートＣ表面に残置させるだけで、そのまま長期に養生を続けることもできる。例えば、脱型後３０日以上養生を続けてもよいし、脱型後９０日以上養生を続けてもよい。更に、完成後のトンネル１００の引き渡しに至るまで（例えば脱型後１年以上）養生を続けてももちろんよい。このような長期の養生を続けることにより、覆工コンクリートＣの強度を飛躍的に高めることができる。
【００３８】
上述の養生シート設置装置１及び養生シート設置方法では、養生シート装着部３によってセントル９１の外側面９２上に養生シート１０を装着することにより、覆工コンクリートＣの打設後には、覆工コンクリートＣの内側面上に養生シート１０が設置されることになる。更に、トンネル１００の周方向に湾曲した固定バンド６が、固定部材保持部５に保持されているので、覆工コンクリートＣの打設後に、固定部材保持部５を養生シート１０の内側に移動させ、固定バンド６を養生シート１０の内側から設置することができる。よって、覆工コンクリートＣの養生シート１０を効率よく設置することができる。
【００３９】
続いて、上述した養生シート１０の構成の例について説明するが、本発明は、以下に説明する例に限定されるものではない。
【００４０】
養生シート１０の厚みは、０．０５ｍｍ以上であることが好ましく、例えば０．０５ｍｍ〜２ｍｍ程度である。養生シート１０の材料としては、例えば、ポリプロピレン、ナイロン、ナイロン６、ペルフルオロアルコキシフッ素樹脂、四フッ化エチレン・六フッ化プロピレン共重合体、エチレン・四フッ化エチレン共重合体、ポリエチレンテレフタラート（ＰＥＴ）、ポリ塩化ビニル、ポリ酢酸ビニル、ポリ塩化ビニリデン、ポリオレフィンなどの高分子化合物を用いることができる。養生期間を長くとるためにそのまま覆工コンクリートＣ表面に貼り付ける点を考慮すると、汎用されていて費用が比較的安いポリプロピレンやポリエチレンテレフタラート、ポリ塩化ビニリデン、ポリ塩化ビニルから構成される養生シート１０が好ましい。
【００４１】
このような養生シート１０は、少なくとも、打設された覆工コンクリートＣに接触する側の面（接触面）の水との接触角θ（ぬれ角）が５０度以上となっており、この接触角が高いほど好ましい。具体的には、養生シート１０の接触面の水との接触角θが６９度以上であることが好ましく、接触角θが８０度以上であることが更に好ましく、接触角θが９０度以上であることがより一層好ましい。素材の表面を各種表面加工技術によって加工することで、水との接触角は適宜調整することができる。
【００４２】
ここで、「接触角θ」とは、図７の（ａ）に示されるように、液滴の接線と固体表面（シート表面）とのなす角度であり、以下の式（１）で示される。
【数１】
2014214553.tif 000003
γＳ：固体の表面張力
γＬ：液体の表面張力
γＳＬ：固体と液体の界面張力
【００４３】
そして、「接触角θ」は、例えば、θ／２法で測定することができる。具体的には、図
７の（ｂ）に示されるように、液滴の半径ｒと高さｈを求める。そして、以下の式（２）
、（３）から、接触角θを求める。
【数２】
2014214553.tif 000004
【数３】
2014214553.tif 000005
【００４４】
また、養生シート１０は、シートの水蒸気透過性の小さいものを用いることが好ましく、シートの水蒸気透過性が１０ｇ／ｍ２・２４ｈ以下であることが好ましく、シートの水蒸気透過性が５ｇ／ｍ２・２４ｈ以下であることがより一層好ましい。また、養生シート１０は、シートの二酸化炭素透過性の小さいものを用いることが好ましく、シートの二酸化炭素透過性が１０万ｃｃ／ｍ２・２４ｈ・ａｔｍ以下であることが好ましく、シートの二酸化炭素透過性が５万ｃｃ／ｍ２・２４ｈ・ａｔｍ以下であることがより一層好ましい。素材の表面を各種表面加工技術によって加工することで、水蒸気透過性又は二酸化炭素透過性を小さくしたシートを作製することができる。
【００４５】
上述の構成の養生シート１０を採用する場合の作用効果について説明する。
【００４６】
従来であれば、覆工コンクリートＣ打設後に、覆工コンクリートＣ内部に含まれる空気の泡やブリージング水が表面に浮かび上がってくる。しかし、上述したように、所定角以上の接触角θを有する養生シート１０を覆工コンクリートＣとの接触部分に設ければ、空気の泡やブリージング水の発生が抑制される。このように、空気の泡やブリージング水の発生が抑制されるのは、本発明者らによれば、コンクリート表面を覆っている養生シート１０の接触面の接触角θが大きいと、コンクリート内に含まれていてその表面から外に出ようとする水や当該水中に存在する空気が接触面においてコンクリート内部に押し戻される作用が働き、その結果、水及びその内部の空気が覆工コンクリートＣ内に残存したまま硬化が進むためと考えられる。
【００４７】
なお、ブリージング水の発生を抑制しているため、覆工コンクリートＣ内に水和反応を促進するための水が十分に含まれていることになり、養生工程の際、養生に用いる養生水を別途供給しなくてもよいか、あるいは、従来に比べて、はるかに少ない養生水を供給する程度でよい。すなわち、コンクリート養生の際に外部から養生水を供給することなく又は養生水をそれほど用いることなく、所定の圧縮強度や耐久性などの品質を発現できる覆工コンクリートＣを製造することができる。
【００４８】
また、凝結の際に覆工コンクリートＣの表面に空気が集まることが抑制されるため、表面組織が密実となり、またかぶりの一部が欠損するといったことも防止されるので、圧縮強度や耐久性などの品質を従来よりも向上させることができる。
【００４９】
また、上述したように、脱型前において覆工コンクリートＣ内の空気が表面に集まることが抑制されるため、覆工コンクリートＣの表面の気泡の発生を抑え、これにより、外観の良い美しい覆工コンクリートＣを製造することが可能である。また、養生シート１０は、セントル９１や覆工コンクリートＣからの剥離が容易であるため、型枠に剥離剤を塗布しなくてもよくなり、これにより、剥離剤によってコンクリート表面に汚れやシミを発生させてしまうことを防止できる。
【符号の説明】
【００５０】
１…養生シート設置装置、３…養生シート装着部、５…固定部材保持部、６…固定バンド（固定部材）、７…ガイドレール、１０…養生シート、１１…養生シートロール、１３…コーンキャップ（ロール保持部）、１５…アーム、１９，２１…ローラ、３５…シート押さえ板（シート押さえ部）、９１…セントル、９２…外側面、１００…トンネル、１０１…壁面、Ｃ…覆工コンクリート。
【図１】
2014214553.tif 000006
【図２】
2014214553.tif 000007
【図３】
2014214553.tif 000008
【図４】
2014214553.tif 000009
【図５】
2014214553.tif 000010
【図６】
2014214553.tif 000011
【図７】
2014214553.tif 000012